【事件の表示】
　商願２００４−　５３９１２拒絶査定不服審判事件について，次のとおり審決する。
【結　論】
　原査定を取り消す。
　本願商標は，登録すべきものとする。
【理　由】
１　本願商標
　本願商標は，「パケットフリー」及び「Ｐａｃｋｅｔ　Ｆｒｅｅ」の文字を普通に用いられる方法で，上下二段に横書きしてなり，第９類「耳栓，加工ガラス（建築用のものを除く。），アーク溶接機，金属溶断機，電気溶接装置，オゾン発生器，電解槽，検卵器，金銭登録機，硬貨の計数用又は選別用の機械，作業記録機，写真複写機，手動計算機，製図用又は図案用の機械器具，タイムスタンプ，タイムレコーダー，パンチカードシステム機械，票数計算機，ビリングマシン，郵便切手のはり付けチェック装置，自動販売機，ガソリンステーション用装置，駐車場用硬貨作動式ゲート，救命用具，消火器，消火栓，消火ホース用ノズル，スプリンクラー消火装置，火災報知機，ガス漏れ警報器，盗難警報器，保安用ヘルメット，鉄道用信号機，乗物の故障の警告用の三角標識，発光式又は機械式の道路標識，潜水用機械器具，業務用テレビゲーム機，電動式扉自動開閉装置，乗物運転技能訓練用シミュレーター，運動技能訓練用シミュレーター，理化学機械器具，写真機械器具，映画機械器具，光学機械器具，測定機械器具，配電用又は制御用の機械器具，回転変流機，調相機，電池，電気磁気測定器，電線及びケーブル，電気アイロン，電気式ヘアカーラー，電気ブザー，電気通信機械器具，電子応用機械器具及びその部品，磁心，抵抗線，電極，消防艇，ロケット，消防車，自動車用シガーライター，事故防護用手袋，防じんマスク，防毒マスク，溶接マスク，防火被服，眼鏡，家庭用テレビゲームおもちゃ，携帯用液晶画面ゲームおもちゃ用のプログラムを記憶させた電子回路及びＣＤ−ＲＯＭ，インターネットにより提供されるダウンロード可能な携帯用液晶画面ゲームおもちゃ用のプログラム，インターネットにより提供されるダウンロード可能な移動体電話機用ゲームプログラム，スロットマシン，ウエイトベルト，ウエットスーツ，浮袋，運動用保護ヘルメット，エアタンク，水泳用浮き板，レギュレーター，レコード，インターネットで提供されるダウンロード可能な音楽，メトロノーム，電子楽器用自動演奏プログラムを記憶させた電子回路及びＣＤ−ＲＯＭ，計算尺，映写フィルム，スライドフィルム，スライドフィルム用マウント，録画済みビデオディスク及びビデオテープ，電子出版物」 ，第３６類「預金の受入れ（債券の発行により代える場合を含む。）及び定期積金の受入れ，資金の貸付け及び手形の割引，内国為替取引，債務の保証及び手形の引受け，有価証券の貸付け，金銭債権の取得及び譲渡，有価証券・貴金属その他の物品の保護預かり，両替，金融先物取引の受託，金銭・有価証券・金銭債権・動産・土地若しくはその定著物又は地上権若しくは土地の賃借権の信託の引受け，債券の募集の受託，外国為替取引，信用状に関する業務，割賦購入のあっせん，前払式証票の発行，ガス料金又は電気料金の徴収の代行，有価証券の売買・有価証券指数等先物取引・有価証券オプション取引及び外国市場証券先物取引，有価証券の売買・有価証券指数等先物取引・有価証券オプション取引及び外国市場証券先物取引の媒介・取次ぎ又は代理，有価証券市場における有価証券の売買取引・有価証券指数等先物取引及び有価証券オプション取引の委託の媒介・取次ぎ又は代理，外国有価証券市場��おける有価証券の売買取引及び外国市場証券先物取引の委託の媒介・取次ぎ又は代理，有価証券の引受け，有価証券の売出し，有価証券の募集又は売出しの取扱い，株式市況に関する情報の提供，商品市場における先物取引の受託，生命保険契約の締結の媒介，生命保険の引受け，損害保険契約の締結の代理，損害保険に係る損害の査定，損害保険の引受け，保険料率の算出，建物の管理，建物の貸借の代理又は媒介，建物の貸与，建物の売買，建物の売買の代理又は媒介，建物又は土地の鑑定評価，土地の管理，土地の貸借の代理又は媒介，土地の貸与，土地の売買，土地の売買の代理又は媒介，建物又は土地の情報の提供，骨董品の評価，美術品の評価，宝玉の評価，中古自動車の評価，企業の信用に関する調査，慈善のための募金，紙幣・硬貨計算機の貸与，現金支払機・現金自動預け払い機の貸与，金融・財務・株式市場及び保険に関する情報の提供」，第３８類「電気通信（放送を除く。），放送，報道をする者に対するニュースの供給，電話機・ファクシミリその他の通信機器の貸与，移動体電話による通信への加入の取り次ぎ」及び第４２類「気象情報の提供，建築物の設計，建築物の設計に関する情報の提供，測量，地質の調査，機械・装置若しくは器具（これらの部品を含む。）又はこれらの機械等により構成される設備の設計，デザインの考案，デザインの考案に関する情報の提供，電子計算機のプログラムの設計・作成又は保守，電子計算機のプログラムの設計・作成又は保守に関する情報の提供，電子計算機・自動車その他その用途に応じて的確な操作をするためには高度の専門的な知識・技術又は経験を必要とする機械の性能・操作方法等に関する紹介及び説明，医薬品・化粧品又は食品の試験・検査又は研究，医薬品・化粧品又は食品の試験・検査又は研究に関する情報の提供，建築又は都市計画に関する研究，建築又は都市計画に関する研究に関する情報の提供，公害の防止に関する試験又は研究，公害の防止に関する試験又は研究に関する情報の提供，電気に関する試験又は研究，電気に関する試験又は研究に関する情報の提供，土木に関する試験又は研究，土木に関する試験又は研究に関する情報の提供，農業・畜産又は水産に関する試験・検査又は研究，農業・畜産又は水産に関する試験・検査又は研究に関する情報の提供，機械器具に関する試験又は研究，機械器具に関する試験又は研究に関する情報の提供，著作権の利用に関する契約の代理又は媒介，社会保険に関する手続の代理，計測器の貸与，電子計算機の貸与，電子計算機用プログラムの提供，理化学機械器具の貸与，製図用具の貸与」を指定商品及び指定役務として，平成１６年６月１０日に登録出願されたものである。
　　
２　原査定の拒絶の理由
　原査定は，「本録商標は，『携帯電話等によるインターネット接続やメール通信が使い放題の定額制』であることを表す『パケットフリー』及び『Ｐａｃｋｅｔ　Ｆｒｅｅ』の文字を普通に用いられる方法で表してなるものであるから，これを本願指定商品・役務中例えば，『インターネットにより提供されるダウンロード可能な移動体電話機用ゲームプログラム，電気通信（放送を除く。），株式市況に関する情報の提供』等について使用するときは商品の品質・価格及び役務の質・価格を表示するにすぎないものであり，本願商標は，商標法第３条第１項第３号に該当し，前記商品・役務以外の商品・役務に使用するときは，商品の品質及び役務の質の誤認を生じさせるおそれがあるから，商標法第４条第１項第１６号に該当する。」旨認定，判断して，本願を拒絶したものである。
　　
３　当審の判断
　本願商標は，上記１のとおり，「パケットフリー」及び「Ｐａｃｋｅｔ　Ｆｒｅｅ」の文字を表してなるところ，その構成中の「パケット」及び「Ｐａｃｋｅｔ」の文字が「伝達する情報の１単位」の意味を有し，携帯電話等によるメール通信等に用いられる単位であり，また，「フリー」及び「Ｆｒｅｅ」の文字が「行動などが外部から拘束されない」という意味を有する語であるとしても，両者を結合したかかる構成においては，特定の商品の品質及び役務の質を具体的に表示するものとして直ちに理解できるものとはいい難いものである。
　また，平成１６年１２月２８日付け及び同１７年２月２３日付け刊行物等提出書等を検討しても，「ＮＴＴコミュニケーションズ」や「ＮＴＴドコモ」が，主に企業向けのサービスとして，パケット通信料金を接続先の企業に課金することが可能なサービスを「ＯＣＮパケットフリー」，「ｉモードパケットフリー」と称していることがうかがえるものの，パケット通信料の定額制を「パケットフリー」と称しているのは，請求人のみであることが認められ，他に，本願の指定商品及び指定役務を取り扱う分野の業界において，本願商標を構成する「パケットフリー」及び「Ｐａｃｋｅｔ　Ｆｒｅｅ」の文字が特定の商品の品質・価格及び役務の質・価格を表示するための語句として，取引上普通に使用されている事実は，発見することができなかった。
　そうすると，本願商標は，全体として親しまれた既成の観念を想起・認識せしめない一つの造語を表したものというべきであるから，これをその指定商品及び指定役務について使用しても，自他商品・役務の識別標識としての機能を十分に果たし得るものであって，また，商品の品質及び役務の質の誤認を生じさせるおそれもないものというのが相当である。
　したがって，本願商標を商標法第３条第１項第３号及び同法第４条第１項第１６号に該当するとした原査定の拒絶の理由は，妥当でなく，その理由をもって拒絶することはできない。
　その他，政令で定める期間内に本願について拒絶の理由を発見しない。
　よって，結論のとおり審決する。